(57)【特許請求の範囲】
【請求項１】
土台又は柱等の木材に挿通穴及びほぞ穴を形成する穴形成工程と、
前記木材のほぞ穴の下方にボルトを挿通するボルト挿通工程と、
予め頭部にボルト穴が形成されたほぞ状突部と該ほぞ状突部の下方に所定距離を介して形成される大径部と小径部からなる鍵穴状ボルト穴とが表面に形成された略矩形の背板を有する箱形金具の該大径部に前記木材に挿通したボルトのヘッドを挿入するように該箱型金具を前記木材に接近させて当接する当接工程と、
前記ボルトを前記小径部に案内するように前記箱型金具を降下させて該箱型金具をボルトの上に載置する載置工程と、
前記ほぞ穴に前記ほぞ状突部を挿入するほぞ状突部挿入工程と、
前記ボルトを更に木材に螺入して増す締めを行う増締工程と、
前記挿通穴にボルトを挿通させるための挿通穴が形成された中空金物を挿入して前記木材を立設する木材立設工程と、
前記ほぞ穴へのほぞ状突部の挿入後に該ほぞ状突部のボルト穴及び前記中空金物のボルト挿通穴にボルトを挿入しさらに箱型金具を木材に締め付ける締付工程と、
からなることを特徴とする建築用箱型金具を利用した軸組み方法。
【発明の詳細な説明】
【０００１】
【発明の属する技術分野】
本発明は、木造建築物における柱等へ土台又は梁を架着するのに際して、土台又は梁の端部と柱とを結合固定する建築用箱型金具に関するものである。
【０００２】
【従来の技術】
柱に土台又は梁を架着する方法としては、古くは梁の端部にほぞが突出するように形成して該ほぞを柱側に穿ったほぞ穴に嵌合することが行われていたが、土台又は梁や土台にほぞやほぞ穴を形成する煩わしさと現場での取り付け作業の困難さから近時においては、取付金具を使用することが行われている。
【０００３】
そのような、取り付け金具としては図６に示したような実用新案登録公報第２５２３５２０号に開示された建築用ほぞ付き梁受け金具１がある。この建築用ほぞ付き金具１は、箱型金具の背板２の外面に一体的にほぞ状突部３を形成し前記背板２と左右の袖片４及び金属主体の側板５にそれぞれ釘孔を形成している。
【０００４】
【発明が解決しようとしている課題】
以上の梁受け金具を使用する場合、まず前記ほぞ状突部３を柱のほぞ穴に嵌合すると共に釘孔よりの釘螺により金具を柱に固着し、その後で該金具に梁を挿嵌して残りの釘孔よりの釘螺により梁を金具に固着しているが、現在では釘に替えてボルトを梁受け金具と柱にそれぞれ形成したボルト穴に挿入して締結しているのが一般的である。
【０００５】
しかし、上記の梁受け金具を使用して木造建築の軸組みを行う場合の工程その他の段取りとしては、（１）木材と金物とボルトを工場で組み合わせてから現場に搬入し、該現場で他の木材との軸組みを実行する方法と、（２）木材、金物、ボルトはそれぞれ別個に工場から現場に搬入して、そこで各木材や部品類を用意して軸組みの作業にかかるという方法がある。
【０００６】
（１）の方法によれば現場での作業は合理化してスピードアップするが、その一方で運送の際の梱包の容積が増大して運送コストの上昇が避けられない。しかし、（２）の方法では梱包方法が簡素化するので運送コストが低減するものの現場での部品類の整理や段取りが複雑になるために作業時間が長くなりこの面でのコスト上昇が生ずるという問題があり、いずれの方法もそれぞれ一方の長所が他方の短所となっている。
【０００７】
以上の現状を鑑みて本発明の目的とするところは、運送コストの上昇を回避しながら、現場での作業の生産性を高めるために土台又は梁を受ける建築用金具を柱に取り付けるに際し、平均的な技術の工事作業員でも該建築用箱型金具により短時間で容易に金具を柱に締結し且つ軸組み構造の強度を保証することができる建築用箱型金具を提供することにある。
【０００８】
【課題を解決するための手段】
本発明は上記の目的を達成するために、土台又は柱等の木材に挿通穴及びほぞ穴を形成する穴形成工程と、前記木材のほぞ穴の下方にボルトを挿通するボルト挿通工程と、予め頭部にボルト穴が形成されたほぞ状突部と該ほぞ状突部の下方に所定距離を介して形成される大径部と小径部からなる鍵穴状ボルト穴とが表面に形成された略矩形の背板を有する箱形金具の該大径部に前記木材に挿通したボルトのヘッドを挿入するように該箱型金具を前記木材に接近させて当接する当接工程と、前記ボルトを前記小径部に案内するように前記箱型金具を降下させて該箱型金具をボルトの上に載置する載置工程と、前記ほぞ穴に前記ほぞ状突部を挿入するほぞ状突部挿入工程と、前記ボルトを更に木材に螺入して増す締めを行う増締工程と、前記挿通穴にボルトを挿通させるための挿通穴が形成された中空金物を挿入して前記木材を立設する木材立設工程と、前記ほぞ穴へのほぞ状突部の挿入後に該ほぞ状突部のボルト穴及び前記中空金物のボルト挿通穴にボルトを挿入しさらに箱型金具を木材に締め付ける締付工程と、からなることを特徴とする建築用箱型金具を利用した軸組み方法を提供するものである。
【００１０】
【発明の実施の形態】
図1は、木造建築における土台まわりの軸組み構造の斜視図であり、Ａは十文字に形成された木造建築の布基礎、Ｂとこれと直交するＢ´は前記布基礎の上に設置される土台、Ｃは前記土台Ｂの上に立設される柱である。そして、前記土台Ｂと土台Ｂ´の連結の為には箱型金具Ｄが、又前記土台Ｂと柱Ｃの連結の為には中空金物Ｅが使用される。
【００１１】
前記土台Ｂは、現場で布基礎Ａの上に土台Ｂ´と直交するように敷設されているが、前記箱型金具Ｄが前記土台Ｂに取り付けられることが予定されているために、土台Ｂの内部に対応する穴や挿通孔が予め複数箇所に形成されているが、詳細は追って説明する。
【００１２】
前記箱型金具Ｄは、図２に示すように表面のセンターライン上にほぞ状突部１１が形成されている略矩形の背板１と、該背板１の両側縁からは一対の側板２が裏面方向に平行に延長しており全体で略箱型に形成されている。さらに、前記ほぞ状突部１１の頭部の中央にはボルト穴１１´が形成されている。
【００１３】
前記ほぞ状突起１１の下方に所定位置を介して大径部１２ａと該大径部１２ａから前記ほぞ状突起１１に向かって延長する小径部１２ｂからなる鍵穴状ボルト穴１２が穿設されている。そして、前記小径部１２ｂは、大径部１２ａに向かって連通するスロットの形状をしている。
【００１４】
一方、前記背板１から延長する各側板２にはピン案内溝２１とボルト穴２２、２３が穿設されており、互いに他方の側板のボルト案内溝２１とボルト穴２２、２３に対向している。
【００１５】
図３に示すように、前記土台Ｂの側面には箱型金具のほぞ状突起１１および鍵穴状ボルト穴１２に対応する所定位置にほぞ穴１１ａとボルト穴１２ａが予め穿設されていて垂直方向に整列している。さらに、前記ほぞ穴１１ａの奥にはこれに連通するボルト挿通孔１１ｂが形成されている。一方、前記ボルト穴１２ａにはボルトＴが予め螺入していてそのヘッド部分を含め上端部分が図１に示すように外側横方向に突出している状態になっている。
【００１６】
次に、柱Ｃと土台Ｄに埋設される中空金物Ｅについて説明する。前記土台Ｂの中央部と前記柱Ｃの軸心部にはそれぞれ挿通孔ＢａとＣａが形成されており、 前記柱Ｃが前記土台Ｂに軸組みされる時には互いに連通し位置が整合した状態で前記中空金物Ｅが嵌合するようになっている。
【００１７】
該中空金物Ｅは、図４に示すように金型で細長の椀状半体Ｅ´を一対成形して互いの開口部を合体させて係止部Ｅａで固定した断面が円形で中空の金属部材である。図５は、前記中空金物を該椀状半体Ｅ´に分解した状態を示すもので、それぞれ全体が細長で両端部は湾曲した形状をしているために合体させると土台や柱に形成した挿通孔に挿入する際に円滑に作業が可能である。
【００１８】
そして前記湾曲した両端部付近には合体させた場合にそれぞれピン挿通孔Ｅｂとボルト挿通孔Ｅｃが相手側半体Ｅ´のものと対向するように形成されている。
【００１９】
以上、説明した土台Ｂ、Ｂ´と柱Ｃの状態ならびに箱型金具Ｄと中空金物Ｅを利用して、以下に土台と柱の軸組みの手順を説明する。先ず、前記土台Ｂの側面でほぞ穴１１ａとボルト穴１２ａにボルトＴが´挿入されている所定位置に前記箱型金具Ｄの背板１を対向するように接近させて当接させる。
【００２０】
そのときに、土台Ｂに螺入されているボルトＴを箱型金具Ｄの鍵穴状ボルト穴１２の大径部１２ａに挿入しつつ該ボルトＴを小径部に案内するように箱型金具を降下させる。そして、ボルトＴをスロット形状をしている小径部１２ｂの最上部に当接させて箱型金具をボルトＴの上に載置する。それと共にほぞ状突部１１をほぞ穴１１ａに挿入する。この位置で前記ボルトＴに対して増す締めを施し箱型金具を土台Ｂに固定する。
【００２１】
次に、土台Ｂに形成した挿通孔Ｂａに前記中空金物Ｅを挿入した半分が上方に突出した状態で前記柱Ｃをその挿通孔Ｃａに該突出した部分が挿入されるように降下させる。
【００２２】
そして、ドリフトピンＰを柱に形成したぴん穴Ｐａを介して中空金物Ｅの前記ピン挿通孔Ｅｂに挿通すると共に、ボルトＳを箱型金具のほぞ状突部のボルト穴１１´を介して前記ボルト挿通孔１１ｂからさらに、中空金物Ｅのボルト穴Ｅｃに挿入してた後にナットで箱型金具Ｄの内側から締め付け固定する。
【００２３】
以上の通り、箱型金具Ｄを利用して土台Ｂに土台Ｂ´を固定すると共に、土台Ｂに柱Ｃを立設固定するためには中空金物Ｅを利用し、且つ、箱型金具Ｄのほぞ状突部１１に形成したボルト穴１１´と中空金物に形成したボルト穴Ｅｃにボルトを挿通して固定するので現場作業が簡単であるばかりではなく、土台、柱の軸組みが強固に施される。
【００２４】
また、前記土台Ｂと土台Ｂ´の組み付け及び土台Ｂと柱Ｃとの組み付けにおいて箱型金具Ｄと中空金物の説明を行ったが、本発明においてはこれに限定されるものではなく梁と梁又は梁と柱の組み付けにも有効である。
【００２５】
【発明の効果】
以上、説明したとおり本発明の建築用箱型金具を利用した軸組み方法においては、木造建築の土台又は柱等の木材に予めほぞ穴を形成すると共にその下にボルトを螺入する一方で、背板にほぞ状突部に加えて鍵穴状ボルト穴を形成したので土台に螺入したボルトを箱型金具の鍵穴状ボルト穴の小径部に案内して箱型金具を固定するので作業が簡単で短時間に実行することが出来る。この結果、運送の際の梱包に要する容積が３割減少し梱包費の低減となり、しかも工数が下がり工期の短縮等が実現され大幅なコストダウンが可能となった。
【００２６】
また、前記ほぞ状突部の頭部の中央にボルト穴が形成されおり、このボルト穴を介して付加的な締め付け処置を施すので、箱型金具と土台等の木材全体の軸組み構造が強固になる。
【図面の簡単な説明】
【図１】 本発明の箱型金具その他を使用して柱と土台を組みあわせた斜視図である。
【図２】 図１に使用される建築用箱型金具の斜視図である。
【図３】 柱と土台に形成された挿通孔を示す断面図である。
【図４】 本発明の箱型金具と固定するためボルト類の斜視図である。
【図５】 中空金物の分解斜視図である。
【図６】 従来の箱型金具の斜視図である。
【符号の説明】
Ｂ      土台
Ｃ      柱
Ｄ      箱型金具
Ｅ      中空金具
１２    ボルト穴
【図１】
0003944295.tif 000002
【図２】
0003944295.tif 000003
【図３】
0003944295.tif 000004
【図４】
0003944295.tif 000005
【図５】
0003944295.tif 000006
【図６】
0003944295.tif 000007